(57)【要約】【目的】  本考案は、箸袋に関し、常に携帯するのに適するように、箸の取り出しと収納がし易く、且つ布製でありながら保型性を有し、しかも装飾性に優れたいわゆるマイ箸袋を得るものである。【構成】  布製本体(1)に箸入れ部(2)と蓋部(3)を一体に成形し、蓋部を二つ折りに折り返したとき、その先端部(3’)が箸入れ部の開口部(2’)を覆い被さる長さ(L”)に設定し、箸入れ部の長さを箸の長さの半分程度にすると共に、その中に保型性と通気性を有する中袋(4)を収納し、且つその開口部近傍の本体に結束紐(5)の基端部を結合し、且つ結束紐の先端部に留め具(6)を接続するように構成した箸袋。【選択図】      図１
0003135755.tif 000002
【実用新案登録請求の範囲】
【請求項１】
布製本体(1)に箸入れ部(2)と蓋部(3)を一体に成形し、蓋部を二つ折りに折り返したとき、その先端部(3’)が箸入れ部の開口部(2’)を覆い被さる長さ(α)に設定し、箸入れ部(2)の長さ(L’)を箸の長さの半分程度にすると共に、その中に保型性と通気性を有する中袋(4)を収納し、且つその開口部近傍の本体に結束紐(5)の基端部を結合し、且つ結束紐(5)の先端部に留め具(6)を接続するように構成したことを特徴とする箸袋。
【請求項２】
布製本体(1)の材質を金襴、西陣織、正絹、紬又はコットン等好みの織物の端布を用い、全長(L)が約370ｍｍ、横幅(W)が約20ｍｍ、箸入れ部(2)の長さ(L’)を約175ｍｍ、蓋部の長さ(L”)を約195ｍｍ、結束紐(5)の全長を約340ｍｍとし、中袋(4)の長さと横幅は箸入れ部(2)に収納できる範囲に設定し、且つ当該中袋の材質を麻糸とした請求１記載の箸袋。
【請求項３】
留め具(6)の材質を竹材とし、長さ(l)が約26ｍｍ、幅(w)が約9ｍｍ、厚さ(t)が約3ｍｍで先端(61)が凸弧状又は鋭角でほぼ手指の爪形状を成し、且つ先端部の板厚を薄めに成形した請求項１記載又は請求項２記載の箸袋。
【考案の詳細な説明】
【技術分野】
【０００１】
本考案は箸袋に関し、常に携帯するのに適するように、箸の取り出しと収納がし易く、且つ布製でありながら保型性を有し、しかも装飾性に優れたいわゆるマイ箸袋を得るものである。
【背景技術】
【０００２】
弁当に専用の箸を入れた箸箱を添えて携行することは、一般に周知のことである。また、箸箱の代わりに、割り箸を入れた紙製の箸袋を添えることも既知のことである。
【０００３】
ところで、最近は弁当と共に箸を携行するばかりではなく、箸だけを携帯することが普及しつつある。その理由は、割り箸のように使い捨て箸を使うことの資源の無駄遣いの軽減や、テークアウト弁当などにも自分専用の箸を使いたいというこだわりや要望があることによる。
【０００４】
そして、箸を携帯するための箸入れに関する考案も多数提案されている。
【特許文献１】特願２００１−３２８１８３号公報
【特許文献２】実用新案登録第３１０５１４６号公報
【特許文献３】実開平  ７−  ２１５８８号公報
【０００５】
上記特許文献１のものは、「布製連続テープを切断し、上下端を中心に向かって折り曲げ、さらにそのテープの中心部分を２つに折り曲げ、その左右両端部分を、縫製することによって出来る洗濯可能な袋状のものを利用した箸袋」の構成である。
【０００６】
上記特許文献２のものは、「半襟と襟を区別するために、襟合わせの部分に切り込みを入れ、差し込んで重ね合わせ上部両端を斜めに切り落として肩に見立て、胴は折り返した裾と合わせ布帯又は紐やこよりで結び、箸が和服を着ている風情を感じさせるところを特徴とする和装等袋」の構成である。
【０００７】
上記特許文献３のものは、「一定の紙幅を左側片と中央片と右側片にほぼ三等分し、該中央片を裏紙となるように左側片を中央片に重なるように折り返し、次いで右側片が表紙となるよう中央片に重なるように折り返し、左側片と中央片と右側片からなる下部重合片を裏方向に折り返してなる三折箸袋において、上記裏紙となる該中央片の上端辺に凹状欠切部を形成したことを特徴とする割箸を入れ易くした三折箸袋」の構成である。
【考案の開示】
【考案が解決しようとする課題】
【０００８】
ところが、上記特許文献１の「箸袋」は、箸袋全体が布製になっているが、箸の上半部を覆う折返し蓋部がなく、また、折返し蓋がないので結束紐が具備されておらず、しかも箸の収納部に中袋がないために保型性及び通気性に欠ける課題がある。
【０００９】
次に、特許文献２は、布製で箸袋自体が帯び結び和装になっていて、箸入れ部に装飾用の帯が巻かれているが、特許文献１と同様に箸の上半部を覆う折返し蓋部がなく、また、折返し蓋がないので当然に結束紐もなく、且つ中袋も具備していない。
【００１０】
特許文献３は、箸全体がほぼすっぽり収まる長さであるが、折返し蓋及び結束紐、中袋も具備していない。
【課題を解決するための手段】
【００１１】
そこで、本考案は上記従来の課題を解決するために提供するものである。
本考案の第１は、箸袋において、布製本体に箸入れ部と蓋部を一体に成形し、蓋部を二つ折りに折り返したとき、その先端部が箸入れ部の開口部を覆い被さる長さに設定し、箸入れ部の長さを箸の長さの半分程度にすると共に、その中に保型性と通気性を有する中袋を収納し、且つその開口部近傍の本体に結束紐の基端部を結合し、且つ結束紐の先端部に留め具を接続するように構成したものである。
【００１２】
本考案の第２は、第１の考案に係る箸袋において、布製本体の材質を金襴、西陣織、正絹その他高級織物又はコットン等好みの織物の端布を用い、全長が約370ｍｍ、横幅が約35ｍｍ、箸入れ部の長さが約175ｍｍ、蓋部の長さが約195ｍｍ、結束紐の全長が約340ｍｍとし、中袋の長さと横幅は箸入れ部に収納できる範囲に設定し、且つ当該中袋の材質を麻糸を可とするものである。
【００１３】
本考案の第３は、第１の考又は第２の考案に係る箸袋において、留め具の材質を竹材とし、長さが約26ｍｍ、幅が約9ｍｍ、厚さが約3ｍｍで先端が凸弧状又は鋭角でほぼ成人の手指の爪形状を成し、且つその先端部の板厚を薄めに成形したものである。
【考案の効果】
【００１４】
本考案は、上記の構成であるから次の効果がある。まず、箸を箸入れ部に挿入した後は、蓋部を折り返すだけで閉じることができる。また、蓋部を閉じた後、結束紐を複数回巻き回して留め具を結束紐と蓋部の表面との間に留め具を刺すだけの簡単な操作で挿し込むだけで簡単に箸の出し入れを行うことができる。その際、留め具の上部基端部位が結束紐の結び目でストッパの役目をして必要以上に紐と紐の間に入り込むことがない。それにも拘わらず一度差し込むだけで解けにくくなっている。
【００１５】
また、蓋部は折り返す位置をずらすことができるから箸の長短に合わせて適正に収納することができる。
さらに、箸入れ部は中袋によって保型されると共に、通気性を有しているから、箸が入っていなくても箸袋全体の型くずれが無く、且つ使用後の箸先によって箸袋の内側が汚れ気味になったとしても、中袋を取り出して洗浄乾燥するだけで済み、箸袋全体の汚れを防ぐことができ、その分箸袋全体を洗濯する必要もなくなる。その他、本体の布地は、各種織物の端切れで作れるので、金襴、西陣織、正絹、大島紬等各種の織物を用いて高級感溢れる箸袋を比較的安価に製作することができる。また、コットンを用いて肌触りが良く親しみのある箸袋を得ることもできる。
【考案を実施するための最良の形態】
【００１６】
本考案は、上記段落「００１１」〜「００１３」に記載してある構成要件に基づいた考案を実施するための最良の形態は以下の通りである。まず、本体における箸入れ部２の開口部から中袋を挿入して内部に蓋部を折り返し部から二つ折りに折り返し、その十分な長さの先端部で開口部を覆い、結束紐を箸入れ部と折り返した蓋部の先端部位に複数回巻き回して蓋部の折り返し面位置において、人の爪形を成す竹製留め具を蓋部表面と結束紐との間又は結束紐同士の間に上方から下方に向けて差し込み、その紐の結束が解けないようにしてある。
【実施例】
【００１７】
次に、本考案の実施例を説明する。１は箸入れ部と蓋部を一体に成形してなる布製箸袋の本体、２は箸入れ部であり、その箸入れ部の長さＬ’は箸の長さの約半分程度に設定してある。３は箸入れ部２と一体に成形した蓋部であり、この蓋部を二つ折りに折り返したときにその先端部位が袋部位の開口部２’を十分に覆う長さαに設定する。４は箸入れ部２の開口部２’から中に収納する中袋であり、その長さと横幅は、箸入れ部２に収納できる範囲に設定し、且つ当該中袋の材質を麻糸として保型性と通気性を有してある。５は箸入れ部２の開口部近傍の本体１に基端部に結束した結束紐であり、その先端部位に留め具６を接続してある。
【００１８】
前記の布製本体は、その材質を金襴、西陣織、正絹、紬その他高級織物又はコットン等の好みの織物の端布を用い、例えば、全長Ｌ＝約370ｍｍ、横幅Ｗ＝約35ｍｍ、袋部の長さＬ’＝約175ｍｍ、蓋部の長さＬ”＝約195ｍｍ、結束紐の全長が約340ｍｍとし、中袋４の長さと横幅は箸入れ部２に収納できる範囲に設定し、且つ当該中袋の材質を麻糸として箸入れ部２の保型性と通気性を確保してある。
【００１９】
図５及び図６に示す留め具６は、その材質をプラスチックでも可能ではあるが、竹材が最も適しその、長さl＝約26ｍｍ、幅w＝約9ｍｍ、厚さt＝約3ｍｍとして先端が凸弧状又は鋭角とし、ほぼ成人の手指の爪形状を成し、且つ先端部の板厚を斜めに削って薄めに成形してある。
そして上側の基端部に単一又は複数（図示は２個）の小孔６1をあけ、この小孔に結束紐５の先端部位を挿通して結び目を作って止着する。
【００２０】
「本考案の具体的加工例とその使用例」
本考案に係る箸袋の加工例と使用例は、次のとおりである。
「箸袋の加工例」
（１）図７において、長方形の布地を幅方向に本体幅Ｗと、本体幅に相当する縫い代付き両幅辺ｗ1を裏地が表になるように折り返してその合わせ目を縫製して長筒体を形成する。
（２）筒体の箸入れ部側の端辺を縫製した後、この筒体を裏返して表面の裏地を裏側（裏側になっている表地を表面側）にする。
（３）長筒体の箸入れ部２の上面側に位置する先端部位２2を二つに折り返して下面側に位置する基端部位側２1に重ね合わせる。
（４）基端部位側２1と、これに重ね合わせた箸入れ部２側の先端部位２2との左右両側辺の縫い代を内側にして縫製して箸入れ部２を成形する。
（５）これによって残りの長袋体が蓋部３側になる。
（６）箸入れ部２の開口部近傍の側辺部に先端に留め具６が取付けられている結束部の紐５の基端部を結合する。
【００２１】
「箸袋の使用例」
（１）本体１における箸入れ部２の開口部２1から中袋４を挿入して内部にすっぽりと収納する。
（２）箸７を開口部２1から挿入して箸入れ部２に収納する。
（３）蓋部３を折り返し部３1部から二つ折りに折り返してその先端部３’を開口部十分に覆う長さα＝約６０ｍｍで覆っている。
（４）結束紐５を箸入れ部２と折り返した蓋部３の先端部位に複数回（図示で３回）巻き回して蓋部３の折り返し面位置において、留め具６を蓋部表面と結束紐との間隙又は結束紐間に上方から下方に向けて差し込んで結束が解けないようにする。
（５）このとき、留め具６の結束紐５の接続部の結び目の瘤がストッパとなり、必要以上の差し込み量が防止できる。
【産業上の利用可能性】
【００２２】
本考案は、本人の専用箸の収納ばかりではなく、必要に応じてスプーンやフォーク又はナイフ等の食器の収納に使用することも可能である。この場合は、上記段落「００１２」の本体１（箸入れ部２・蓋部３）の横幅Ｗのサイズを適宜大きめに設定して製作するものとする。
【図面の簡単な説明】
【００２３】
【図１】箸袋本体の蓋部を開いた状態の正面図。
【図２】蓋部を開いた状態の本体の脇に中袋と箸を配置した正面図。
【図３】箸袋本体の箸入れ部に中袋と箸を収納した状態の正面図。
【図４】蓋部を閉じて結束紐を巻き回して解けないようにした斜視図。
【図５】竹製留め具の正面図。
【図６】図５の６−６線に沿う断面図。
【図７】本考案に係る箸袋の製作用布地の展開図の一例を示す平面図。
【符号の説明】
【００２４】
１…箸袋の本体
２…箸入れ部
３…蓋部
４…中袋
５…結束紐
６…留め具
７…箸
【図１】
0003135755.tif 000003
【図２】
0003135755.tif 000004
【図３】
0003135755.tif 000005
【図４】
0003135755.tif 000006
【図５】
0003135755.tif 000007
【図６】
0003135755.tif 000008
【図７】
0003135755.tif 000009